【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
左サラウンドチャネル及び右サラウンドチャネルに関する音声信号を処理する方法であって、前記右サラウンドチャネル及び前記左サラウンドチャネルの該生じる信号間に連続的に変化する遅延が発生されることを特徴とする音声信号を処理する方法。
【請求項２】
前記連続的に変化する遅延が、前記左サラウンドチャネル及び前記右サラウンドチャネルの前記信号が、常に無相関化されるように発生されることを特徴とする、請求項１に記載の音声信号を処理する方法。
【請求項３】
前記左サラウンドチャネル及び前記右サラウンドチャネルが、複数の周波数帯にそれぞれ分割され、それぞれのサラウンドチャネルの各周波数帯が、同一のチャネルの他の周波数帯に対して、及び他方のチャネルの対応する周波数帯に対しても遅延されることを特徴とする、請求項１又は２に記載の方法。
【請求項４】
前記左サラウンドチャネル及び前記右サラウンドチャネルが、他の音声チャネルと混合され、ダイポールスピーカローブの方向性構成を有する音声出力信号を生じるように、複数のスピーカに転送されることを特徴とする、請求項１ないし３の何れか一項に記載の音声信号を処理する方法。
【請求項５】
前記遅延されたサラウンドチャネルが、関連付けられる音声及び／又はビデオのチャネルとともに後々の使用のために記録媒体に記憶されることを特徴とする、請求項１ないし３の何れか一項に記載の音声信号を処理する方法。
【請求項６】
ステレオサラウンドチャネルの右サラウンドチャネル及び左サラウンドチャネルに関する音声信号を処理する遅延管理ユニットであって、前記右サラウンドチャネル及び左サラウンドチャネルの該信号間に連続的に変化する遅延を供給する複数の可変遅延ユニットを備えることを特徴とする遅延管理ユニット。
【請求項７】
前記連続的に変化する遅延を生じるように、各サラウンドチャネルに可変遅延ユニットと、前記可変遅延ユニットに接続される制御信号出力を有する制御信号発生器とを備えることを特徴とする、請求項６に記載の遅延管理ユニット。
【請求項８】
前記左サラウンドチャネル及び前記右サラウンドチャネルに関する周波数分割構成であって、各チャネルを複数の周波数帯に分割する周波数分割構成と、
前記右サラウンドチャネル及び前記左サラウンドチャネルの前記複数の周波数帯に関する可変遅延ユニットと、
それぞれのサラウンドチャネルの各周波数帯を、同一のチャネルの他の周波数帯に対して、及び他方のチャネルの対応する周波数帯に対して、前記連続的に変化する遅延を用いて遅延させるように、前記可変遅延ユニットを制御する制御信号を発生する制御信号発生器と、
を備えることを特徴とする、請求項６又は７に記載の遅延管理ユニット。
【請求項９】
前記制御信号発生器が、前記遅延ユニットのための制御入力をともに供給する信号源と信号修正器構成とを備えることを特徴とする、請求項７又は８に記載の遅延管理ユニット。
【請求項１０】
請求項６ないし９の何れか一項に記載の前記遅延管理ユニットを備えることを特徴とする音声処理システム。
【請求項１１】
前記左サラウンドチャネル及び前記右サラウンドチャネルを含む複数の個別の音声チャネルの供給源と、
前記音声チャネルを処理する、請求項１０に記載の前記音声処理システムと、
前記処理される音声チャネルを可聴音声に変換する複数のスピーカと、
を備えることを特徴とする、音響システム。
【請求項１２】
前記複数のスピーカがアレイを形成するように構成され、前記音声処理システムが、音声出力チャネルを与える音声入力チャネルを混合するとともに、音声出力チャネルを前記音声入力チャネルに関してダイポールスピーカローブの方向性構成を有する音声出力信号を生じるように前記スピーカへ転送する混合ユニットを備えることを特徴とする、請求項１１に記載の音響システム。
【請求項１３】
前記左サラウンドチャネル及び前記右サラウンドチャネルを含む複数の個別の音声チャネルを備える音声処理システムのための混合ユニットであって、
前記音声チャネルに関するライン入力と、
スピーカへの接続に関するライン出力と、
ダイポールスピーカローブの方向性構成を有する音声出力信号を生じるように、音声出力チャネルを与えるために前記音声チャネルを混合するとともに、前記音声出力チャネルを前記ライン出力へ転送する手段と、
前記右サラウンドチャンネル及び前記左サラウンドチャネル間における前記連続的に変化する遅延を発生する、請求項６ないし９の何れか１項に記載の前記遅延管理ユニットと、
を備えることを特徴とする混合ユニット。
【請求項１４】
適切な遅延スケール値を選択することによって、前記音声チャネルの少なくともいくつかに関して、ダイポールスピーカローブの方向性構成を有する音声出力信号を生じるように、前記音声チャネルの前記信号を遅延するユーザ構成可能遅延装置を備えることを特徴とする、請求項１３に記載の混合ユニット。
【請求項１５】
請求項１０に記載の音声処理システムを備えることを特徴とするスタジオシステム。
【請求項１６】
プログラム可能な音声処理システムのメモリに直接ロード可能な計算機プログラムであって、前記プログラムが前記音声処理システムで実行される場合に、請求項１ないし５の何れか一項に記載の音声信号を処理する方法のステップを実行するソフトウェア又はアルゴリズムを含むことを特徴とする計算機プログラム。
【請求項１７】
請求項１ないし５の何れか一項に記載の音声信号を処理する方法を用いて遅延されるサラウンドチャネルを含む音声及び／又はビデオのチャネルを有するデータファイルを記憶することを特徴とするメモリ媒体。
【手続補正２】
【補正対象書類名】明細書
【補正対象項目名】発明の名称
【補正方法】変更
【補正の内容】
【発明の名称】音声信号を処理する方法、遅延管理ユニット、システム、ユニット、計算機プログラム及びメモリ媒体
【手続補正３】
【補正対象書類名】明細書
【補正対象項目名】０００４
【補正方法】変更
【補正の内容】
【０００４】
ある音響システムは、例えばＤｏｌｂｙ Ｄｉｇｉｔａｌ２．０又はＤｏｌｂｙ Ｄｉｇｉｔａｌ５．１など、部屋の周囲の様々な位置で配置されるスピーカ構成から音声を発生することによって、より良い聴取の体験を提供するように試みており、この場合、ベース音声に関する１つのサブウーファと、２つの前面スピーカと、２つのサラウンドスピーカと、中央スピーカとである６個までのスピーカが実装され得る。これらのシステムの不利な点は、必要とされる追加的なスピーカが聴取者の背後に離れて位置されなければならないことである。このことは、特に、聴取者が後方スピーカに対する必要な間隔を考慮するために彼の座席配置を部屋の中央に位置させることが可能でない小さい部屋に関する家庭用娯楽システムに関して、常に可能であるわけではない。更に、斯様なスピーカは、特定の方法でアンプに接続されなければならず、すなわちこのことは、通常、天井又は床に沿った見苦しい長さのケーブルを意味する。
【手続補正４】
【補正対象書類名】明細書
【補正対象項目名】００３３
【補正方法】変更
【補正の内容】
【００３３】
図２の音声処理システム２の次の段は、図４に詳細に示されるエネルギー再バランスブロック９である。サラウンドチャネルＳのレベルは、聴取者に最大サラウンドの体験を提供するために、フロントチャネルＦのレベルに比例してブーストされる。この目的のために、フロントチャネルＦの左及び右コンポーネントＦL、ＦRは、スケーリングブロック９００でスケールされ、帯域通過フィルタ９０１に転送される。生じる信号の平均は、平均計算ブロック９０２で計算される。同様に、サラウンドチャネルＳの左及び右コンポーネントＳL、ＳRは、スケーリングブロック９０３でスケールされ、帯域通過フィルタ９０４へ転送され、その後、生じる信号の平均が、平均計算ブロック９０５で計算される。フロントチャネルＦの平均計算ブロック９０２の出力は、２つのチャネルに関するエネルギー率(energy quotient)を与えるために、サラウンドチャネルＳに関してブロック９０６の出力によって分割される。その後、これは、始めに、飽和フィルタ９０７へ、その後、不所望な高周波数を破棄するために低域通過フィルタ９０８へ渡される。その後、低域通過フィルタの出力は、サラウンドチャネルＳの修正された出力信号を与えるために、入力サラウンドチャネルＳのレベルをスケールするのに用いられる。エネルギー再バランスブロック９での処理段のパラメータは、サラウンドチャネルＳの出力信号の生じるエネルギーレベルが、前方チャネルＦのエネルギーレベルを決して超えないように、慎重に選択される。このようにして、元の音声信号の混合が尊重される。
【手続補正５】
【補正対象書類名】明細書
【補正対象項目名】００３４
【補正方法】変更
【補正の内容】
【００３４】
図２に戻ると、前方Ｆ、サラウンドＳ及び中央Ｃのチャネルのいくつかの更なる処理が、図５及び図６のそれぞれに更に詳細に確認され得るクロスオーバー／イコライゼーションブロック１０及び１１で実行される。これらのブロックは、スピーカのダイポール特性により必要とされるイコライゼーションを実施する。図５で示されるように、フロントチャネルＦは、前方チャネルＦの修正された出力信号を与えるために、スケーリングブロック９２３におけるスケーリングステップ及びシェルビングフィルタ９２４による後続のフィルタステップの前に、高域通過フィルタ９２０及び２つのバイクワッドフィルタ９２１、９２２を通るように渡される。同様に、後方サラウンドチャネルＳは、サラウンドチャネルＳの修正された出力信号を与えるために利得ブロック９３２によって増幅される前に、高域通過フィルタ９３０及び後続のバイクワッドフィルタ９３１でフィルタ処理される。同様の処理は、クロスオーバー／イコライゼーションのブロック１１で中央チャネルＣに関して実行され、入力中央チャネルＣは、中央チャネルＣの修正された出力信号を与えるために、初めに、高域通過フィルタ９４０に渡され、その後スケーリングブロック９４１でスケーリングされ、続いてシェルビングフィルタ９４２でフィルタ処理される。図５及び図６に示されるフィルタブロックのいくつかは、高域通過フィルタ９２０、９３０、９４０及びシェルビングフィルタ９２４及び９４２などのアナログ回路で実施化され得る。